(57)【要約】【課題】使用状況に応じてプリンターを簡単に使用する側に向けることができる。【解決手段】商品販売データ処理装置は、店員用スキャナ部と、顧客用スキャナ部と、顧客側に向けられた釣銭機と、登録された商品情報を表示する店員用表示部及び顧客用表示部と、精算時にレシートを発行するプリンターと、プリンターを店員側と顧客側の一方に選択的に回転させる回転機構３０と、を備えた。回転機構３０は、プリンターを固定した支持板２５と支持台２４内に設けたスペーサ３２と回転子３６とを一体に回転可能とした。支持台２４に設けた第１ストッパー部３９で回転子３６のアーム部３７ａを吸着してプリンターを顧客に向けて停止させ、第２ストッパー部４０でアーム部３７ｂを吸着してプリンターを店員に向けて停止させる。第１ストッパー部３９と第２ストッパー部４０は第１センサ部と第２センサ部を兼ねている。【選択図】図５
2019117447.tif 000002
【特許請求の範囲】
【請求項１】
商品登録された商品の精算を顧客が行う商品販売データ処理装置であって、
店員側に向けられた第１の商品登録部と、
顧客側に向けられた決済手段と、
登録された商品情報を表示する表示部と、
精算時にレシート発行口からレシートを発行する印字手段と、
前記印字手段における店員側と顧客側のいずれか一方のレシート発行口を選択してレシートを発行させる発行口変更手段と、
を備えたことを特徴とする商品販売データ処理装置。
【請求項２】
前記印字手段は、前記表示部の下端よりも低い位置に配設されている請求項１に記載された商品販売データ処理装置。
【請求項３】
前記表示部は、店員側に設けられた第１の表示部と前記第１の表示部の反対側に配設され顧客側に向けられた第２の表示部を備えており、
前記印字手段は、前記第１の表示部と前記第２の表示部の間に配設されている請求項１または２に記載された商品販売データ処理装置。
【請求項４】
前記発行口変更手段は、前記印字手段と一体に回転可能な回転子と、前記印字手段が店員側または客側に向けられた位置で前記回転子を停止させるストッパー部と、を備えている請求項１から３のいずれか１項に記載された商品販売データ処理装置。
【請求項５】
前記ストッパー部は、前記印字手段を店員側に向けて停止させる第１ストッパー部と、顧客側に向けて停止させる第２ストッパー部と、を有している請求項４に記載された商品販売データ処理装置。
【請求項６】
前記発行口変更手段には前記印字手段の向きを判断するセンサが設けられ、前記センサで検知した前記印字手段の向きを前記表示部で表示するようにした請求項１から５のいずれか１項に記載された商品販売データ処理装置。
【請求項７】
前記ストッパー部は前記印字手段の向きを判断するセンサを兼ねている請求項４または５に記載された商品販売データ処理装置。
【請求項８】
商品登録及び/または精算を店員と顧客のどちらが行うかを設定した複数の動作モードの１つを選択可能であり、
選択された前記動作モードと、前記センサで判別した前記印字手段の向きと、を前記表示部で報知するようにした請求項６または７に記載された商品販売データ処理装置。
【発明の詳細な説明】
【技術分野】
【０００１】
本発明は、商品販売データ処理装置に関する。
【背景技術】
【０００２】
従来、スーパーマーケット等の店舗で、顧客が購入した商品のバーコードを店員または顧客がスキャナで読み込んで合計額を顧客が精算し、料金支払い後にレジスタに設けたプリンターで印刷されたレシートを顧客が受け取る商品販売データ処理装置が知られている(特許文献１参照)。
この商品販売データ処理装置では、一般的にプリンターが店員側に向けて固定設置され、精算後に店員が発行されたレシートを顧客に渡している。一方、例えばフルセルフモードや店員が商品登録して対面する顧客が精算するモード(以下、店員登録顧客精算モードという)等では、プリンターが顧客側に向けて設置され、精算後に顧客が直接レシートを受け取るようになっている。
【先行技術文献】
【特許文献】
【０００３】
【特許文献１】特開平６−２３１３６４号公報
【発明の概要】
【発明が解決しようとする課題】
【０００４】
しかしながら、商品販売データ処理装置はフルセルフモードや店員登録顧客精算モード等で、商品登録された商品の精算を顧客が行う場合に、プリンターの向きを店員側に向けて固定したままでレシートを発行すると顧客がレシートが取りにくいという問題があった。
【０００５】
本発明は、このような課題に鑑みてなされたものであり、使用状況に応じてレシートを取り易くするようにした商品販売データ処理装置を提供することを目的とする。
【課題を解決するための手段】
【０００６】
本発明に係る商品販売データ処理装置は、商品登録された商品の精算を顧客が行う商品販売データ処理装置であって、店員側に向けられた第１の商品登録部と、顧客側に向けられた決済手段と、登録された商品情報を表示する表示部と、精算時にレシート発行口からレシートを発行する印字手段と、印字手段における店員側と顧客側のいずれか一方のレシート発行口を選択してレシートを発行させる発行口変更手段と、を備えたことを特徴とする。
本発明によれば、発行口変更手段によって印字手段のレシート発行口を選択して店員側と顧客側のいずれかの向きに保持することができるため、設定された動作モードに応じて、店員または顧客が印字手段で印字されて発行されたレシートを受け取ることができる。
【０００７】
また、印字手段は、表示部の下端よりも低い位置に配設されていることが好ましい。
印字手段を回転させる際に、表示部に干渉することを防止できる。
【０００８】
また、表示部は、店員側に設けられた第１の表示部と前記第１の表示部の反対側に配設され顧客側に向けられた第２の表示部を備えており、印字手段は、第１の表示部と第２の表示部の間に配設されていることが好ましい。
第１の表示部と第２の表示部の間に印字手段を配設することで、印字手段のレシート発行口を選択して店員の向きと顧客の向きのいずれに設定した場合でも、発行されたレシートを受け取り易い。
【０００９】
また、発行口変更手段は、印字手段と一体に回転可能な回転子と、印字手段が店員側または客側に向けられた位置で回転子を停止させるストッパー部と、を備えていることが好ましい。
印字手段と一体に回転する回転子をストッパー部によって停止させることで、印字手段を店員側または顧客側に向けた位置で停止させることができる。
【００１０】
また、ストッパー部は、印字手段を店員側に向けて停止させる第１ストッパー部と、顧客側に向けて停止させる第２ストッパー部と、を有していることが好ましい。
【００１１】
また、発行口変更手段には、印字手段の向きを判断するセンサが設けられ、センサで検知した印字手段の向きを表示部で表示するようにしていることが好ましい。
印字手段が店員側と顧客側のいずれで停止したかをセンサで判別でき、しかも印字手段の向きを表示部で表示できるため、印字手段の向きが間違っている場合には目視で確認できる。
【００１２】
また、ストッパー部は印字手段の向きを判断するセンサを兼ねていてもよい。
センサをストッパー部に設けることで、印字手段が店員側と顧客側のいずれで停止したかを迅速に認識できる。
【００１３】
また、商品登録及び/または精算を店員と顧客のどちらが行うかを設定した複数の動作モードの１つを選択可能であり、選択された動作モードと、センサで判別した印字手段の向きと、を表示部で報知するようにしてもよい。
選択された動作モードと印字手段の向きを表示部に報知して表示することで、印字手段の向きの正誤を容易に確認できる。
なお、動作モードとして、例えば顧客が商品登録から精算までを行う第一モードと、店員が商品登録を行って顧客が精算を行う第二モードと、店員と顧客が同時に商品登録を行う第三モードと、商品登録するレジスタから登録データを異なるレジスタに送信して精算する第四モード等があり、そのいずれかを選択可能である。
【発明の効果】
【００１４】
本発明に係る商品販売データ処理装置によれば、印字手段のレシート発行方向を状況に応じて顧客側と店員側の必要な向きに簡単且つ確実に向けることができて便利である。
【図面の簡単な説明】
【００１５】
【図１】本発明の第一実施形態による商品販売データ処理装置を顧客側から見た斜視図である。
【図２】図１に示す商品販売データ処理装置の側面図である。
【図３】図１に示す商品販売データ処理装置の商品登録部とプリンターを拡大した分解斜視図である。
【図４】プリンターの斜視図である。
【図５】プリンターの回転機構の分解斜視図である。
【図６】プリンターの支持台の内部構造を示す斜視図である。
【図７】プリンターの向きを検知し表示するための制御機構を示すブロック図である。
【図８】第１ストッパー部及び第２ストッパー部による回転子の吸着状態を示す説明図である。
【図９】フルセルフモードでのプリンターの向きと表示を制御するフローチャートである。
【図１０】精算機指定モードを示す説明図であり、（ａ）はレジスタの配置と動作を示す図、（ｂ）は登録専用モードの説明図、（ｃ）は会計専用モードの説明図である。
【図１１】第二実施形態による商品販売データ処理装置を顧客側から見た斜視図である。
【図１２】商品販売データ処理装置を店員側から見た斜視図である。
【図１３】第二実施形態による商品販売データ処理装置を顧客側から見た正面図である。
【図１４】商品販売データ処理装置の平面図である。
【図１５】商品販売データ処理装置の右側面図である。
【図１６】商品販売データ処理装置の左側面図である。
【図１７】商品販売データ処理装置を店員側から見た正面図である。
【図１８】商品販売データ処理装置の底面図である。
【発明を実施するための形態】
【００１６】
（実施形態）
以下、添付図面を参照して、本発明の実施形態による商品販売データ処理装置について説明する。
本発明の第一実施形態による商品販売データ処理装置１について図１乃至図１０により説明する。図１及び図２に示す本実施形態の商品販売データ処理装置１は、例えば対面型のレジスタである。商品販売データ処理装置１は、床面に設置された筐体２内の上部のスペース３内に決済手段として釣銭機４が設置されており、筐体２の上面２ａに本体部６が固定されている。本体部６の釣銭機４側が顧客側スペースであり、これに対向する側が店員側スペースである。
【００１７】
本体部６の店員側スペース側には店員用スキャナ部７が第１の商品登録部として設けられ、顧客側スペース側には顧客用スキャナ部８が第２の商品登録部として設けられている。両スキャナ部７，８では商品のバーコードを読み込んで商品情報を商品登録することができる。
スキャナ部７，８は、制御部による商品登録処理の実行中に、商品に対応付けられたバーコード状の商品コードを読み取り、商品コードの情報を制御部に供給する光学式読取装置である。スキャナ部７，８は、バーコード読み取り用の窓口を備えた固定型スキャナであるが、店員側のスキャナ部７はこれに代えてハンディスキャナにより実現されてもよい。
【００１８】
本体部６の上部の店員側には第１の表示部として店員用表示部１０が連結され、対向する顧客側には第２の表示部として顧客用表示部１１が連結されている。店員用表示部１０は例えば表示面１０ａとキーボードを備えた操作部１０ｂとを備えているため、表示面を有する顧客用表示部１１より面積が大きく形成されている。店員用表示部１０は店員に表示面を向けて斜め上向きに設置され、顧客用表示部１１も顧客に表示面を向けて斜め上向きに設置されている。
【００１９】
顧客用表示部１１は、操作受付機能を有するタッチパネル付液晶表示装置により実現される。この場合、制御部は、合計金額以上の額の貨幣（硬貨および紙幣またはいずれか）が釣銭機４に投入された場合に、終了キーを顧客用表示部１１に表示させる。終了キーは、制御部により実行されている決済処理（精算処理）を完了させるためのＧＵＩボタンである。タッチパネルは、その終了キーの操作入力を受け付けて、操作に応じた操作情報を制御部に供給する。
【００２０】
なお、顧客に操作させる終了キーを、ＧＵＩボタンではなくハードウェアキーにより実現してもよい。この場合、終了キーを有するキーボードは、顧客用表示部１１の表示面近傍（例えば、顧客用表示部１１の表示面の直横または直前）に設けられる。或いは、店員用表示部１０に表示されたＧＵＩボタン、操作部１０ｂのハードウェアキーにより実現してもよい。
筐体２の上面２ａにおいて、本体部６の側部にはレシートを印字して発行するプリンター１２が、印字手段として設置されている。
【００２１】
顧客側に設置された釣銭機４は、顧客による貨幣の投入を受け付けて入金処理を行い、つり金、返金、またはリジェクトの紙幣および硬貨を排出する自動釣銭機である。つまり、釣銭機４は、現金による決済手段である。決済手段としては、釣銭機４の他、例えばクレジットカードの決済機、電子マネーの決済機が含まれるが、本実施形態では、決済手段として釣銭機４を例として説明する。
【００２２】
釣銭機４は、紙幣管理部１３と硬貨管理部１４を備えている。紙幣管理部１３は、紙幣投入口１５と、紙幣排出口１６とを備える。硬貨管理部１４は、硬貨投入口１７と、硬貨排出口１８と、リジェクト口１９とを備える。紙幣投入口１５は、顧客により投入される紙幣を取り込む口である。紙幣排出口１６は、おつりの紙幣およびリジェクト紙幣を排出する口である。紙幣投入口１５および紙幣排出口１６は、二段に配置構成される。例えば、上段が紙幣投入口１５、下段が紙幣排出口１６である。
なお、釣銭機４は、硬貨管理部１４のみを備えるものであってもよい。また、紙幣管理部１３は、紙幣投入口１５および紙幣排出口１６に代えて、紙幣の投入口と排出口とを兼用する一つの紙幣投入排出口であってもよい。
【００２３】
硬貨投入口１７は、顧客により投入される硬貨を取り込む口である。硬貨排出口１８は、おつりとしての硬貨を排出する口であり、更に釣銭機４が備える図示しない貨幣識別部が識別に失敗した場合や偽造硬貨として識別した場合の硬貨を排出する口である。リジェクト口１９は、入金後、キャンセルの操作がされた場合に、硬貨を排出する口である。
紙幣排出口１６には、排出された紙幣を検出するセンサが設けられている。また、硬貨排出口１８には、排出された硬貨を検出するセンサが設けられている。なお、リジェクト口１９にも、排出された硬貨を検出するセンサが設けられてもよい。
【００２４】
紙幣投入口１５と、紙幣排出口１６と、硬貨投入口１７と、硬貨排出口１８とのそれぞれの近傍には、インジケータが設けられていてもよい。インジケータは、例えば発光ダイオード（ＬＥＤ）により実現される。インジケータの態様としては、例えば、文字（例えば、「硬貨おつり」、「硬貨投入口」、「お札おつり」、「お札投入口」）形状に光るＬＥＤインジケータである。制御部は、入金を受け付けている状態において、紙幣投入口１５および硬貨投入口１７それぞれの近傍のインジケータを、例えば“白色”に点灯または点滅させる。なお、制御部は、合計金額以上の貨幣が投入されたと判定した場合に、インジケータを、例えば“緑色”に点灯または点滅させてもよい。また、おつりがある場合、制御部は、紙幣排出口１６および硬貨排出口１８のうちおつりが排出される排出口の近傍のインジケータを、センサが検知しなくなるまで、例えば“赤色”に点灯または点滅させる。
【００２５】
制御部は、登録画面を表示させる（つまり、登録モードに入る）、または第１の顧客に対する商品登録処理を開始すると、釣銭機４を動作可能な状態、つまり、入金受付状態に制御する。顧客に対する商品登録が開始されると、顧客は釣銭機４への入金が可能となる。
【００２６】
次にプリンター１２について詳細に説明する。
プリンター１２は、商品登録処理が完了し、入金処理及び釣り銭の排出からなる決済処理を実行したことによって得た会計の明細処理情報を紙媒体であるレシート用紙に印刷し、この印刷後のレシートをレシート発行口２２から出力（発行）する。レシート発行口２２がレシートを出力するタイミングは、おつりがない場合は、終了キーが押下された後であり、また、おつりがある場合は、終了キーが押下された後、おつりの貨幣が排出されたままになっていることを図示しないセンサが検知しなくなった後である。
ただし、おつりの貨幣が排出された場合において、所定時間（例えば、１０秒間）を経過してもセンサが貨幣を検知し続ける場合、すなわち、おつりが取り去られない場合、レシート発行口２２からレシートを出力することができる。
【００２７】
図１及び図２に示すように、プリンター１２は店員用表示部１０及び顧客用表示部１１の間の領域で上面２ａに回転可能に設置され、プリンター１２の回転を妨げないように店員用表示部１０と顧客用表示部１１の下端部より下方に設置されている。しかも、図３及び図４において、プリンター１２は回転の際に本体部６と干渉しない程度に離間して設置されている。プリンター１２の回転範囲には、上面２ａに何も設置されていない。プリンター１２は例えば箱状に形成され、レシート発行口２２を設けた前面１２ａが店員側と顧客側の一方を選択的に向くように回転制御される。
なお、プリンター１２は前面１２ａを本体６と反対側を向いて正逆回転することが好ましい。これにより、プリンター１２のカバーが開いたままでも回転可能である。
プリンター１２は、筐体２の上面２ａに固定配置された支持台２４の上部に設けた側面視略Ｌ字板状をなす支持板２５の底板２６の上に設置されている。支持板２５は底板２６と背板２７とで形成され、プリンター１２はその前面１２ａに対向する背面１２ｂが背板２７にネジ等で固定されている。そのため、プリンター１２は支持台２４上で支持板２５と一体に回転可能とされている。
【００２８】
次にプリンター１２の回転機構３０について図５乃至図８により説明する。
図５乃至図８に示すプリンター１２の回転機構３０において、支持台２４の支持板２５を載置するための載置面２４ａには略円形の孔部３１が形成されている。支持台２４の載置面２４ａに形成した孔部３１内には略半円形のスペーサ３２が配設され、載置面２４ａの表裏面にはそれぞれ上部滑りシート３４と下部滑りシート３５が設置されている。上部滑りシート３４の上面には支持板２５の底板２６が載置され、下部滑りシート３５の下面には略円板状の回転子３６が当接している。しかも、支持板２５の底板２６とスペーサ３２と回転子３６はネジｎで互いに連結されている。
【００２９】
そのため、支持板２５は支持台２４に対して上部滑りシート３４を介して回転可能である。回転子３６は支持台２４の内部に収納され、その上面に設けた下部滑りシート３５により支持台２４に対してその中心点Ｏを中心に回転可能とされている。支持板２５の回転によってスペーサ３２及び回転子３６が一体に回転する。
回転子３６は金属製、例えばスチール製で略円板状に形成され、その中心を外れた位置から円弧の両側の外方に突出する一対のアーム部３７ａ、３７ｂを有している。しかも、アーム部３７ａ、３７ｂはそれぞれ略Ｌ字状に屈曲して形成され、先端の屈曲部が被吸着部３８を有している。アーム部３７ａ、３７ｂはプリンター１２が店員側と顧客側のいずれを向いているかを検知する検知部を構成する。なお、回転子３６を例えばアルミやプラスチック等の非磁性体で形成してもよく、略Ｌ字状のアーム部３７ａ、３７ｂの被吸着部３８に鉄等の磁性体を貼り付ければよい。
【００３０】
図６に示す支持台２４の内部において、一の側面２４ｂには取付受け部３９ａ、４０ａが間隔を開けて直線状に形成されている。これら取付受け部３９ａ、４０ａには第１ストッパー部３９、第２ストッパー部４０として例えばそれぞれ電磁石が装着されている。なお、電磁石に代えて永久磁石を設置してもよい。これら第１ストッパー部３９、第２ストッパー部４０は側面２４ｂ上で互いに分離して略直線状に配列されている。
【００３１】
そして、図８に示すように、支持板２５を一方側に回転させると、回転子３６も中心点Ｏを中心に回転して、アーム部３７ａ、３７ｂの一方が第１ストッパー部３９、第２ストッパー部４０の一方に吸着されて対向する位置に保持される。例えば、実線で示すように、アーム部３７ａの被吸着部３８が第１ストッパー部３９の電磁石に接近・対向する位置で吸着されて停止する。この位置で、プリンター１２は顧客側に向くものとする。
また、この位置から支持板２５を逆方向に約１８０度回転させると、回転子３６も中心点Ｏを中心に１８０度回転するため、アーム部３７ａ、３７ｂの他方が第１ストッパー部３９、第２ストッパー部４０の他方に吸着されて対向する位置に保持される。例えば、二点鎖線で示すように、アーム部３７ｂの被吸着部３８が第２ストッパー部４０の電磁石に接近・対向する位置で吸着されて停止する。この位置で、プリンター１２は店員側に向くものとする。
【００３２】
なお、図７において、店員用表示部１０及び顧客用表示部１１、プリンター１２は配線ケーブルを介して本体部６内に設置された制御部４２に電気的に接続されている。制御部４２は上述した不図示の制御部に含まれている。プリンター１２の配線ケーブルｋは、図５において、支持板２５の底板２６に形成した開口２６ａを通過し、更に支持台２４の載置面２４ａに形成した孔部３１と略半円形状のスペーサ３２との間の開口３１ａを通過する。そして、この配線ケーブルｋは回転子３６に形成された開口３６ａを通して、本体部６内の制御部４２に接続されている。電磁石を有する第１ストッパー部３９及び第２ストッパー部４０の配線ケーブル、店員用表示部１０及び顧客用表示部１１の配線ケーブルも同様に制御部４２に電気的に接続されている。
【００３３】
そして、プリンター１２を支持板２５に固定した状態で、プリンター１２のレシート発行口２２を設けた前面１２ａを例えば顧客側に向けるよう支持板２５を回転させると、図８に示すように、スペーサ３２及び回転子３６も一体回転する。この位置で、例えば回転子３６のアーム部３７ａの被吸着部３８が第１ストッパー部３９に対向する位置で電磁石に吸着保持される。第１ストッパー部３９でこれを検知すると、配線ケーブルを介して制御部４２に出力して店員用表示部１０に表示させる。
この位置から、プリンター１２のレシート発行口２２を設けた前面１２ａを店員側に向けるよう支持板２５を約１８０度回転させると、スペーサ３２及び回転子３６も約１８０度一体回転する。この位置で、回転子３６のアーム部３７ｂの被吸着部３８が第２ストッパー部４０に対向する位置で電磁石に吸着保持される。第２ストッパー部４０でこれを検知すると、制御部４２に出力して店員用表示部１０に表示させる。
【００３４】
第１ストッパー部３９及び第２ストッパー部４０のいずれかで回転子３６のアーム部３７ａ、３７ｂの一方を吸着したことを検知することで、プリンター１２の向きを店員用表示部１０に表示できる。店員はプリンター１２の向きを店員用表示部１０で検知できる。そのため、回転子３６のアーム部３７ａ、３７ｂを停止させる第１ストッパー部３９と第２ストッパー部４０はそれぞれ第１センサー部と第２センサー部を兼用している。
【００３５】
プリンター１２及び支持板２５を回転させた際、底板２６、スペーサ３２、回転子３６も一体に回転するため、開口２６ａ、開口３１ａ、開口３６ａも一体回転し、これらを挿通して配設された配線ケーブルｋも一体回転するので、配線ケーブルｋがよじれたりすることを阻止できる。
【００３６】
商品販売データ処理装置１において、店員用表示部１０の操作部では、例えばタッチパネルまたは操作キーの選択によって複数の動作モード、例えばフルセルフモード、店員登録顧客精算モード、ダブルスキャンモード、精算機指定モード等のいずれかを選択可能である。
フルセルフモードは、顧客が商品登録から精算までを顧客自身で行うモードである。店員登録顧客精算モードは、店員が商品登録を行い、顧客が精算を行うモードである。ダブルスキャンモードは、店員と顧客とで同時に商品登録が可能なモードである。精算機指定モードは、複数のレジスタが配列された状態で、店員が１のレジスタで商品登録を行った後、他の１のレジスタに登録データを送信し、送信された他の１のレジスタで顧客が精算（決済）を行うモードである。
【００３７】
本実施形態による商品販売データ処理装置１は上述した構成を備えており、次にその使用方法について説明する。
例えば、商品販売データ処理装置１で動作モードとしてフルセルフモードが選択された場合について図９に沿って説明する。フルセルフモードが選択されると店員用表示部１０に表示される（ステップＳ１０）。この状態では、プリンター１２は顧客側に向いていて顧客に向けてレシートを印刷して出力する必要がある。そのため、制御部４２でプリンター１２が顧客側と店員側のいずれを向いているかを第１ストッパー部３９及び第２ストッパー部４０からなる第１センサー部及び第２センサー部で判断する（Ｓ１１）。
【００３８】
その際、プリンター１２が店員側を向いていると、図８で二点鎖線で示すように回転子３６はアーム部３７ｂの被吸着部３８が第２ストッパー部４０に近接して対向する位置で吸着保持されている。この向きは間違いであり、プリンター１２が店員側に向いていることを店員用表示部１０に表示する（Ｓ１２）。或いは、フルセルフモードの選択との関係で、店員用表示部１０にプリンター１２の「向きの間違い」を指摘して警告表示するように報知してもよい。
【００３９】
この場合、店員が手動でプリンター１２及び支持板２５を回転させると、支持台２４に対してスペーサ３２及び回転子３６が一体に約１８０度回転してアーム部３７ａが第１ストッパー部３９に対向する位置で吸着された位置に保持される。これにより、プリンター１２のレシート発行口２２を有する前面１２ａが顧客側に向く（Ｓ１３）。
この状態で、顧客は商品のバーコードをスキャナ部８にかざして商品登録を順次行い（Ｓ１４）、商品登録の終了後に顧客用表示部１１上の商品登録処理の終了キーをタッチパネルで押す。そして、顧客は買い上げ商品の合計金額を確認して、釣銭機４に貨幣を投入する。
即ち、表示された合計金額に応じて紙幣を紙幣投入口１５に投入し、硬貨を硬貨投入口１７に投入して決済を行う。紙幣排出口１６や硬貨排出口１８から排出された釣り銭を受領することで精算処理が完了する（Ｓ１５）。釣り銭を顧客が取り出した後に、プリンター１２で会計の明細処理情報がレシートに印刷され、レシート発行口２２からレシートが発行される。
【００４０】
なお、フルセルフモードは、上述したように顧客側にて登録処理も精算処理も実行するが、例えば、店員用スキャナ部７で店員コードのスキャンが可能である。
また、ダブルスキャンモードでは、店員側及び顧客側の両側で登録処理を実行することができる。店員登録顧客精算モードでは、店員側で登録処理を実行する登録専用モードと、顧客側で精算処理を実行する会計専用モードとに区別される。
【００４１】
次に、動作モードとして精算機指定モードが選択された場合の処理を図１０（ａ）、（ｂ）、（ｃ）により説明する。
精算機指定モードでは、図１０（ａ）に示す商品販売データ処理装置１として登録専用のレジスタ１Ａと、会計専用の他のレジスタ１Ｂ、１Ｃ等を備えている。
店員は、登録専用モードのレジスタ１Ａにおいて、図１０（ｂ）のフローチャートに示すように、顧客の買上商品を店員用スキャナ部７を操作して（Ｓ２０）商品登録を実行する（Ｓ２１）。店員による登録処理が完了した場合、登録完了キーを操作し（Ｓ２２）、会計専用モードのレジスタ１Ｂ，１Ｃのいずれか、例えばレジスタ１Ｂを指定する（Ｓ２３）。このレジスタ１Ｂに精算処理に必要な商品登録データを移送する（Ｓ２４）。登録専用モードのレジスタ１Ａでは次の顧客の商品登録を行う。次の顧客がいない場合には待機状態になる。
【００４２】
顧客は、店員の指示により、商品登録データを受信している会計専用モードのレジスタ１Ｂに移動し（Ｓ３０）、顧客用表示部１１において買上商品の合計金額を確認し、釣銭機４に貨幣を投入して精算する（図１０（ａ）の下段）。つまり、会計専用モードのレジスタ１Ｂは、顧客が釣銭機４へ貨幣を投入することにより、精算処理を実行する（Ｓ３１）。
【００４３】
なお、店員側で商品登録し、顧客側で精算処理を行った後、店員がレシートを顧客に手渡しする場合にはプリンター１２はレシート発行口２２の前面１２ａを店員側に向けられるようにする。
プリンター１２のレシート発行口２２を店員側に向ける他の場合として、レジスタのメンテナンスの場合、例えば商品の新規登録、商品の価格変更をした際にチェックシートの排出を行う場合、本日の特売一覧レシートを発行する場合等がある。また、集計レポートとして、現時点での売り上げレポートの発行、その日の営業終了時のレジ締めレポートを出力する場合や、レシート用ロール紙の交換時等にもプリンター１２を店員側に向ける。
その他、複数のレジスタ間で釣銭補充のために一のレジスタから他のレジスタに釣銭を移動させる場合、顧客が精算を金券やクレジットカード、電子マネー等で行い、現金を使用しない場合等にも、プリンター１２を店員側に向ける。
【００４４】
上述したように、本実施形態による商品販売データ処理装置１によれば、使用状況に応じてプリンター１２を手動操作で簡単且つ確実に顧客側や店員側等の使用する側に向けることができる。
しかも、プリンター１２を回転させる際、回転子３６の被吸着部３８を有するアーム部３７ａ、３７ｂをいずれか一方のストッパー部３９、４０の電磁石で吸着することで確実にレシート発行口２２を有する前面１２ａが顧客または店員に向き合う位置に停止させることができる。
また、選択された動作モードに対してプリンター１２の向きが間違っている場合には店員用表示部１０に表示して店員に確認させることができる。
【００４５】
以上、本発明の実施形態による商品販売データ処理装置１について詳細に説明したが、本発明は上述の実施形態に限定されることはなく、本発明の要旨を逸脱しない範囲で適宜の変更や置換等が可能であり、これらはいずれも本発明に含まれる。以下に、本発明の変形例や他の実施形態について説明するが、上述した実施形態と同一または同様な部分、部材には同一の符号を用いて説明を省略する。
【００４６】
上述した第一実施形態による商品販売データ処理装置１では、回転子３６のアーム部３７ａ、３７ｂを停止させる第１ストッパー部３９、第２ストッパー部４０をそれぞれ電磁石で構成して第１センサー部、第２センサー部を兼用するようにした。しかし、変形例として第１ストッパー部３９、第２ストッパー部４０として永久磁石を用いてもよい。この場合には第１ストッパー部３９、第２ストッパー部４０とは別に、その近傍に第１センサー部、第２センサー部をそれぞれ別個に設けて回転子３６のアーム部３７ａ、３７ｂの停止位置を検知し、店員用表示部１０でプリンター１２が顧客側を向いているか店員側を向いているかを認識してもよい。
この場合、第１センサー部、第２センサー部として例えばレーザー光等による光学式検知装置や赤外線式検知装置等を設けることができる。
また、上述した実施形態による商品販売データ処理装置１では、プリンター１２の回転を手動で行うようにしたが、駆動モータに接続して自動で回転するようにしてもよい。
【００４７】
次に本発明の第二実施形態による商品販売データ処理装置４５を図１１から図１８により説明する。
本実施形態では商品販売データ処理装置４５は例えば既存のカウンター５１の上に設置されており、上述した第一実施形態による商品販売データ処理装置１と略同一または同様な構成や部品には同一の符号を用いてその説明を省略する。商品販売データ処理装置４５は例えば対面型のレジスタである。
【００４８】
図１１及び図１２において、本第二実施形態による商品販売データ処理装置４５は筐体４６の部分がカウンター５１等のテーブル上面に載置されている小型のレジスタである。商品販売データ処理装置４５は、筐体４６の顧客側の向きに形成されたスペース３に釣銭機４が設置され、その上面４６ａに設けた本体部６に顧客用表示部１１が設置されている。顧客用表示部１１の対向する面側には店員用表示部１０が設置されている。店員用表示部１０は例えば表示面１０ａとキーボードを備えた操作部１０ｂとを備えている。
【００４９】
商品販売データ処理装置４５において、筐体４６の上面４６ａには、本体部６の側部にレシートを印字して発行するプリンター１２が、印字手段として設置されている。プリンター１２は第一実施形態と同一の構成を有しており、支持台２４上に設けた支持板２５に固定されている。そのため、支持板２５を手動操作することで、プリンター１２は支持台２４に対してスペーサ３２及び回転子３６と共に一体回転する。そして、回転子３６のアーム部３７ａの被吸着部３８が第１ストッパー３９に吸着された位置でプリンター１２は顧客側に向く。また、回転子３６のアーム部３７ｂの被吸着部３８が第２ストッパー４０に吸着された位置でプリンター１２は店員側に向く。その余の構成と機能は上述した第一実施形態と同一である。
【００５０】
なお、上述した各実施形態ではプリンター１２を手動で回転するようにしたが、これに代えて変形例として、プリンター１２を自動回転させるように制御手段を設定してもよい。即ち、店員用表示部１０で店員側または顧客側にレシートを発行することを設定した時点で、これに連動して図示しない制御手段によってプリンター１２が自動回転してレシート発行口２２をその向きに向くように制御する。
また、別のセンサーで、商品販売データ処理装置１、４５の前に顧客がいること、或いは店員が居ないことが判定された場合にプリンター１２が顧客側を向くように制御してもよい。また、店員が商品販売データ処理装置１、４５の前に居ることが判定された場合にはプリンター１２が店員側を向くように設定してもよい。
【００５１】
また、別の変形例として、プリンター１２が回転しないで固定配置されていると共に、レシート発行口２２が店員側と顧客側とにそれぞれ設けられていてもよい。この場合、店員が選択する動作モードの設定に応じてレシートの発行方向を設定しておき、いずれかのレシート発行口２２からレシートを発行することができる。
この機構は、上述した回転機構３０と共に、発行口変更手段に含まれる。
【００５２】
他の変形例として、プリンター１２の回転手段として、筺体２内に多角形の穴または凸部を開けた作動部材を設置すると共に、プリンター１２の下面には多角形の凸部または穴部を設けて互いに嵌合させてもよい。この場合、筐体２内に設けた駆動モータＭを正逆回転させることで、作動部材を介してプリンター１２を回転させるようにしても良い。
【００５３】
また、筐体２の上面２ａにおいて、本体６に対するプリンター１２の配設位置は、本体１２に対して左右どちら側でも良い。
また、プリンター１２の回転方向は、水平方向に限らず上下方向に縦回転させてもよい。
また、プリンター１２の支持台２４は、プリンター１２の回転を支持するだけでなく、レシートを発行する店員側または顧客側に平行移動するように設定してもよい。この場合、回転機構３０も一体に移動可能に構成するとよい。これにより、プリンター１２からレシートを受け取る店員や顧客にとってさらに受け取りが容易になる。
【符号の説明】
【００５４】
１、４５  商品販売データ処理装置
２、４６  筐体
４  釣銭機
６  本体部
７  店員用スキャナ部
８  顧客用スキャナ部
１０  店員用表示部
１１  顧客用表示部
１２  プリンター
１２ａ  前面
２２  レシート発行口
２４  支持台
２５  支持板
３０  回転機構
３６  回転子
３７ａ、３７ｂ  アーム部
３８  被吸着部
３９  第１ストッパー部
４０  第２ストッパー部
４２  制御部
【図１】
2019117447.tif 000003
【図２】
2019117447.tif 000004
【図３】
2019117447.tif 000005
【図４】
2019117447.tif 000006
【図５】
2019117447.tif 000007
【図６】
2019117447.tif 000008
【図７】
2019117447.tif 000009
【図８】
2019117447.tif 000010
【図９】
2019117447.tif 000011
【図１０】
2019117447.tif 000012
【図１１】
2019117447.tif 000013
【図１２】
2019117447.tif 000014
【図１３】
2019117447.tif 000015
【図１４】
2019117447.tif 000016
【図１５】
2019117447.tif 000017
【図１６】
2019117447.tif 000018
【図１７】
2019117447.tif 000019
【図１８】
2019117447.tif 000020